(57)【特許請求の範囲】
【請求項１】
室外空間と繋がる室外吸込口（31）及び室外排気口（33）と、室内空間と繋がる室内吸込口（32）及び室内給気口（34）とが形成されるケーシング（20）と、該ケーシング（20）に収納されて吸着剤を担持する吸着熱交換器（14,15）が接続されると共に熱媒流体が流れる熱媒体回路（11）とを備え、上記熱媒流体で吸着熱交換器（14,15）の吸着剤を加熱又は冷却し、上記室外吸込口（31）及び上記室内吸込口（32）から吸い込んだ空気のうちのいずれか一方の空気を上記吸着熱交換器（14,15）の吸着剤と接触させて調湿してから上記室内給気口（34）より室内へ供給し、他方の空気を室外排気口（33）から室外へ排出すると共に、室内の床面に設置される床置き式の調湿装置であって、
上記室外吸込口（31）と上記室外排気口（33）と上記室内吸込口（32）と上記室内給気口（34）とが、上記ケーシング（20）の上面に形成され、
上記熱媒体回路（11）には、２つの吸着熱交換器（14,15）が接続されており、
上記ケーシング（20）は、前面が開放された箱状のケーシング本体部（21）と、該ケーシング本体部（21）の開放部に着脱自在に取り付けられる前面カバー（22）とを備え、
上記前面カバー（22）の背面側には、左右方向に略平行に配列される第１と第２の仕切板（44,45）が形成され、
上記第１と第２の仕切板（44,45）の間には、上記各吸着熱交換器（14,15）がそれぞれ収容される２つの調湿室（65,66）を上下に区画するように中央仕切板（48）が形成され、
ケーシング（20）の一方の側面と第１仕切板（44）との間には、前後に２つの空気通路（55,57）を区画するように第３仕切板（46）が形成され、ケーシング（20）の他方の側面と第２仕切板（45）との間には、前後に２つの空気通路（56,58）を区画するように第４仕切板（47）が形成され、
上記第１と第２の仕切板（44,45）には、上記各空気通路（55,56,57,58）と上下の調湿室（65,66）とを連通させる複数の流通口（71〜78）が開口すると共に、各流通口（71〜78）をそれぞれ開閉する複数のダンパ（D1〜D8）が形成され、
上記室外吸込口（31）と上記室外排気口（33）と上記室内吸込口（32）と上記室内給気口（34）とは、各々がいずれかの空気通路（55,56,57,58）に対応して連通するように、上記ケーシング（20）の上面に略四角格子状に配列されていることを特徴とする調湿装置。
【請求項２】
請求項１において、
上記室内給気口（34）から室内へ空気を送るための給気ファン（30）と、上記室外排気口（33）から室外へ空気を排出するための排気ファン（29）とが、上記吸着熱交換器（14,15）が収納される調湿室（65,66）の上側に配設されることを特徴とする調湿装置。
【請求項３】
請求項１において、
上記熱媒体回路は、圧縮機（12）が接続されると共に上記熱媒流体としての冷媒が循環して冷凍サイクルを行う冷媒回路（11）で構成され、
上記圧縮機（12）が、上記吸着熱交換器（14,15）が収納される調湿室（65,66）の下側に配設されることを特徴とする調湿装置。
【請求項４】
請求項１乃至３のいずれか１つにおいて、
上記熱媒体回路は、圧縮機（12）が接続されると共に上記熱媒流体としての冷媒が循環して冷凍サイクルを行う冷媒回路（11）で構成され、
上記吸着熱交換器（14,15）と、室内給気口（34）から室内へ空気を送るための給気ファン（30）と、上記室外排気口（33）から室外へ空気を排出するための排気ファン（29）と、上記圧縮機（12）と、上記室外吸込口（31）及び上記室内吸込口（32）から吸い込んだ空気のうちの一方又は両方の空気中の塵埃を捕捉するフィルタ（36,37）との、少なくとも１つが上記ケーシング本体部（21）の前側から取り出し可能に構成されていることを特徴とする調湿装置。
【請求項５】
請求項１において、
上記ケーシング（20）の上面には、該ケーシング（20）の前側寄りに上記室外吸込口（31）及び上記室内吸込口（32）が配設され、ケーシング（20）の後側寄りに上記室外排気口（33）及び上記室内給気口（34）が配設され、
上記室外吸込口（31）の下側には、該室外吸込口（31）から吸い込んだ空気中の塵埃を捕捉すると共に、上記ケーシング本体部（21）の前側から取り出し可能な第１フィルタ（36）が配設され、
上記室内吸込口（32）の下側には、該室内吸込口（32）から吸い込んだ空気中の塵埃を捕捉すると共に、上記ケーシング本体部（21）の前側から取り外し可能な第２フィルタ（37）が配設されていることを特徴とする調湿装置。
【発明の詳細な説明】
【技術分野】
【０００１】
本発明は、室内を調湿する調湿装置に関し、特に装置の設置性及びメンテナンス性の向上対策に係るものである。
【背景技術】
【０００２】
従来より、室内を調湿する調湿装置や、室内の換気を行う換気装置が知られている。
【０００３】
特許文献１には、吸着熱交換器を備えた調湿装置が開示されている。この調湿装置は、扁平なケーシングを備え、ケーシング内部には空気通路が形成されている。ケーシングの一方の側面には、室外吸込口及び室内吸込口が形成され、他方の側面には室外排気口及び室内給気口が形成されている。これらの４つの開口には、それぞれ空気が流れるダクトが接続されている。また、ケーシング内には２つの調湿室が形成され、これらの調湿室には吸着熱交換器がそれぞれ配置されている。吸着熱交換器の表面には、水分を吸脱着するための吸着剤が担持されている。吸着熱交換器は、冷凍サイクルを行う冷媒回路に接続されており、冷媒によって吸着剤が加熱又は冷却されるように構成されている。
【０００４】
特許文献１の調湿装置では、例えば以下のような換気除湿運転が行われる。この換気除湿運転では、一方の吸着熱交換器が凝縮器（放熱器）となり、他方の吸着熱交換器が蒸発器となる。室外吸込口から吸い込まれた空気は、２つの調湿室の一方を流れて蒸発器側の吸着熱交換器を通過する。その結果、この空気中の水分が吸着熱交換器の吸着剤に吸着され、空気が除湿される。この際、吸着剤による水分の吸着熱は、吸着熱交換器を流れる冷媒の蒸発熱として利用される。除湿された空気は、室内給気口から室内へ供給される。これにより、室内の除湿がなされる。また、室内吸込口から吸い込まれた空気は、他方の調湿室の吸着熱交換器を通過する。この吸着熱交換器では、冷媒の凝縮熱によって吸着剤が加熱され、吸着剤から水分が脱離（脱着）する。その結果、この吸着熱交換器に担持された吸着剤が再生される。吸着熱交換器の吸着剤の再生に利用された空気は、室外排気口から室外へ排出される。
【０００５】
また、特許文献２には、熱交換エレメントを備えた換気装置が開示されている。この換気装置は、天井に埋め込まれるケーシングを備え、ケーシング内部には空気通路が形成されている。ケーシングには、上記引用文献１と同様にして、室外吸込口、室内吸込口、室外排気口、及び室内給気口が形成され、これらの４つの開口には、それぞれダクトが接続されている。また、空気通路には、熱交換エレメントが配置されている。この熱交換エレメントは、空気が流れる２つの流路が互いに直交する直流型の熱交換器を構成している。
【０００６】
特許文献２の換気装置の運転では、室外吸込口から吸い込まれた空気が、熱交換エレメントの第１流路を流れる。また、室内吸込口から吸い込まれた空気が、熱交換エレメントの第２流路を流れる。熱交換エレメントでは、第１流路を流れる室外空気と第２流路を流れる室内空気との間で熱交換が行われる。また、熱交換エレメントでは、室外空気と室内空気との間で水分の授受も行われる。以上のようにして、熱交換エレメントの第１流路で湿度や温度が調節された室外空気は、室内給気口から室内へ供給される。また、熱交換エレメントの第２流路を通過した室内空気は、室外排気口から室外へ排出される。
【特許文献１】特開２００７−１０２３１号公報
【特許文献２】特開平０６−２５７８１７号公報
【発明の開示】
【発明が解決しようとする課題】
【０００７】
ところで、ユーザー等による装置のメンテナンス性を向上させるため、上記特許文献１の調湿装置を室内の床面に設置することが考えられる。しかしながら、特許文献１の調湿装置では、上述した各吸込口や給排気口がそれぞれケーシングの側面に開口している。従って、これらの４つの開口にダクトをそれぞれ接続すると、ケーシングの周囲にダクトが配設されてしまうので、これらの装置の設置スペースが極めて大きくなってしまう。つまり、これらの装置を床置き型とすると、ダクトの配設スペースが水平方向に拡大されてしまうので、装置の設置スペースを確保するのが困難となってしまう。
【０００８】
本発明は、かかる点に鑑みてなされたものであり、その目的は、メンテナンスが容易で、且つ設置性に優れた調湿装置を提供することである。
【課題を解決するための手段】
【０００９】
第１の発明は、室外空間と繋がる室外吸込口（31）及び室外排気口（33）と、室内空間と繋がる室内吸込口（32）及び室内給気口（34）とが形成されるケーシング（20）と、該ケーシング（20）に収納されて吸着剤を担持する吸着熱交換器（14,15）が接続されると共に熱媒流体が流れる熱媒体回路（11）とを備え、上記熱媒流体で吸着熱交換器（14,15）の吸着剤を加熱又は冷却し、上記室外吸込口（31）及び上記室内吸込口（32）から吸い込んだ空気のうちのいずれか一方の空気を上記吸着熱交換器（14,15）の吸着剤と接触させて調湿してから上記室内給気口（34）より室内へ供給し、他方の空気を室外排気口（33）から室外へ排出すると共に、室内の床面に設置される床置き式の調湿装置を前提としている。そして、この調湿装置は、上記室外吸込口（31）と上記室外排気口（33）と上記室内吸込口（32）と上記室内給気口（34）とが、上記ケーシング（20）の上面に形成され、上記熱媒体回路（11）には、２つの吸着熱交換器（14,15）が接続されており、上記ケーシング（20）は、前面が開放された箱状のケーシング本体部（21）と、該ケーシング本体部（21）の開放部に着脱自在に取り付けられる前面カバー（22）とを備え、該前面カバー（22）の背面側には、左右方向に略平行に配列される第１と第２の仕切板（44,45）が形成され、上記第１と第２の仕切板（44,45）の間には、上記各吸着熱交換器（14,15）がそれぞれ収容される２つの調湿室（65,66）を上下に区画するように中央仕切板（48）が形成され、ケーシング（20）の一方の側面と第１仕切板（44）との間には、前後に２つの空気通路（55,57）を区画するように第３仕切板（46）が形成され、ケーシング（20）の他方の側面と第２仕切板（45）との間には、前後に２つの空気通路（56,58）を区画するように第４仕切板（47）が形成され、上記第１と第２の仕切板（44,45）には、上記各空気通路（55,56,57,58）と上下の調湿室（65,66）とを連通させる複数の流通口（71〜78）が開口すると共に、各流通口（71〜78）をそれぞれ開閉する複数のダンパ（D1〜D8）が形成され、上記室外吸込口（31）と上記室外排気口（33）と上記室内吸込口（32）と上記室内給気口（34）とは、各々がいずれかの空気通路（55,56,57,58）に対応して連通するように、略四角格子状に配列されていることを特徴とする。
【００１０】
第１の発明では、室外吸込口（31）及び室内吸込口（32）に吸い込まれた空気のうちの一方の空気が、吸着熱交換器（14,15）によって調湿されて室内給気口（34）から室内へ供給され、他方の空気が室外排気口（33）から室外へ排出される。その結果、室内の除湿や加湿が行われる。
【００１１】
具体的に、例えば除湿運転では、熱媒体回路（11）を流れる熱媒流体によって吸着熱交換器（14,15）の吸着剤が冷却される状態となる。この状態の吸着熱交換器（14,15）を空気が通過すると、空気中の水分が吸着熱交換器（14,15）の吸着剤に吸着されると共に、この際に生じる吸着熱が熱媒体に吸熱される。その結果、吸着熱交換器（14,15）によって空気が除湿される。また、例えば加湿運転では、熱媒体回路（11）を流れる熱媒流体によって吸着熱交換器（14,15）の吸着剤が加熱される状態となる。この状態の吸着熱交換器（14,15）を空気が通過すると、加熱された吸着剤から水分が脱離し、脱離した水分が空気へ付与される。その結果、吸着熱交換器（14,15）によって空気が加湿される。
【００１２】
本発明では、上記室外吸込口（31）と室外排気口（33）と室内吸込口（32）と室内給気口（34）とが、いずれもケーシング（20）の上面に形成される。このため、これらの各吸込口（31,32）や各給排気口（33,34）に接続されるダクトを天井側に伸ばすことで、この調湿装置の水平方向の設置スペースを必要最小限に抑えることができる。
【００１３】
第１の発明では、熱媒体回路（11）に複数の吸着熱交換器（14,15）が接続される。また、ケーシング（20）内には、複数の調湿室（65,66）が形成され、各調湿室（65,66）にそれぞれ複数の吸着熱交換器（14,15）が収納される。ここで、本発明では、これらの調湿室（65,66）が上下方向に並んで形成される。従って、ケーシング（20）が鉛直方向に縦長となる一方、このケーシング（20）の水平方向の長さを短くできる。その結果、調湿装置の水平方向の設置スペースが更に小さくなる。
【００１４】
第１の発明では、調湿室（65,66）を区画するための仕切板（44,45）が設けられる。仕切板（44,45）には、複数の流通口（71〜78）が形成されると共に、各流通口（71〜78）を開閉するダンパ（D1〜D8）が設けられる。各ダンパ（D1〜D8）によって各流通口（71〜78）の開閉状態を切り換えることで、調湿室（65,66）が断続され、これによりケーシング（20）内の空気の流れが変更される。ここで、本発明では、仕切板（44,45）が調湿室（65,66）の側面側に形成されている。このため、調湿室（65,66）で空気中の水分が結露して滴下したとしても、この水分が仕切板（44,45）に付着しにくくなる。従って、閉状態の流通口（71〜78）とダンパ（D1〜D8）との隙間から水が漏れてしまうことを回避できる。
【００１５】
第２の発明は、第１の発明の調湿装置において、上記室内給気口（34）から室内へ空気を送るための給気ファン（30）と、上記室外排気口（33）から室外へ空気を排出するための排気ファン（29）とが、上記吸着熱交換器（14,15）が収納される調湿室（65,66）の上側に配設されることを特徴とするものである。
【００１６】
第２の発明では、給気ファン（30）と排気ファン（29）とが、調湿室（65,66）の上側に配設される。これにより、給気ファン（30）から室内給気口（34）までの距離や、排気ファン（29）から室外排気口（33）までの距離が短くなる。従って、給気ファン（30）や排気ファン（29）の通風抵抗を小さくでき、これらのファン（29,39）の動力を低減できる。
【００１７】
第３の発明は、第１の発明の調湿装置において、上記熱媒体回路は、圧縮機（12）が接続されると共に上記熱媒流体としての冷媒が循環して冷凍サイクルを行う冷媒回路（11）で構成され、上記圧縮機（12）が、上記吸着熱交換器（14,15）が収納される調湿室（65,66）の下側に配設されることを特徴とする調湿装置。
【００１８】
第３の発明では、比較的重い圧縮機（12）が調湿室（65,66）の下側に配置される。これにより、調湿装置の重心が下側寄りとなるため、調湿装置を安定した状態で床面に設置することができる。
【００１９】
第４の発明は、第１乃至３のいずれか１つの発明の調湿装置において、上記熱媒体回路は、圧縮機（12）が接続されると共に上記熱媒流体としての冷媒が循環して冷凍サイクルを行う冷媒回路（11）で構成され、上記吸着熱交換器（14,15）と、上記室内給気口（34）から室内へ空気を送るための給気ファン（30）と、上記室外排気口（33）から室外へ空気を排出するための排気ファン（29）と、上記圧縮機（12）と、上記室外吸込口（31）及び上記室内吸込口（32）から吸い込んだ空気のうちの一方又は両方の空気中の塵埃を捕捉するフィルタ（36,37）との、少なくとも１つが上記ケーシング本体部（21）の前側から取り出し可能に構成されていることを特徴とするものである。
【００２０】
第４の発明では、ケーシング本体部（21）の前側に前面カバー（22）が着脱自在に取り付けられる。ケーシング本体部（21）から前面カバー（22）を取り外した状態においては、吸着熱交換器（14,15）や給気ファン（30）や排気ファン（29）や圧縮機（12）やフィルタ（36,37）がケーシング本体部（21）の前側から取り出される。これにより、各構成機器のメンテナンスを容易に行うことができる。
【００２１】
第５の発明は、第１の発明の調湿装置において、上記ケーシング（20）の上面には、該ケーシング（20）の前側寄りに上記室外吸込口（31）及び上記室内吸込口（32）が配設され、ケーシング（20）の後側寄りに上記室外排気口（33）及び上記室内給気口（34）が配設され、上記室外吸込口（31）の下側には、該室外吸込口（31）から吸い込んだ空気中の塵埃を捕捉すると共に、上記ケーシング本体部（21）の前側から取り出し可能な第１フィルタ（36）が配設され、上記室内吸込口（32）の下側には、該室内吸込口（32）から吸い込んだ空気中の塵埃を捕捉すると共に、上記ケーシング本体部（21）の前側から取り外し可能な第２フィルタ（37）が配設されていることを特徴とするものである。
【００２２】
第５の発明では、空気を導入するための室外吸込口（31）及び室内吸込口（32）が、ケーシング（20）の前側寄りに配設される。そして、室外吸込口（31）の下側に第１フィルタ（36）が、室内吸込口（32）の下側に第２フィルタ（37）がそれぞれ配設される。
【００２３】
ケーシング本体部（21）から前面カバー（22）を取り外した状態では、第１フィルタ（36）や第２フィルタ（37）がケーシング（20）の前側に位置することになるので、ユーザー等はこれらのフィルタ（36,37）を容易に取り出してメンテナンスを行うことができる。
【発明の効果】
【００２４】
第１の発明では、室外吸込口（31）と室外排気口（33）と室内吸込口（32）と室内給気口（34）とをケーシング（20）の上面に形成しているので、この調湿装置を床面に設置して各吸込口（31,32）や各給排気口（33,34）と接続するダクトを上方（天井側）に伸ばすことができる。これにより、床面に設置した調湿装置の水平方向周りにダクトが配設されることがないので、調湿装置の水平方向の設置スペースを大幅に縮小することができる。従って、この調湿装置を例えばクローゼットの内部等の限られたスペースに設置することができる。また、このようにして調湿装置を床面置きとすることで、例えば天井埋込型の調湿装置と比較して、ユーザーによる装置のメンテナンスも簡便となる。
【００２５】
また、本発明では、複数の吸着熱交換器（14,15）が収納される調湿室（65,66）を上下に配列しているので、ケーシング（20）が水平方向に大型化されてしまうのを抑制できる。従って、この調湿装置の水平方向の設置スペースを更に縮小することができる。
【００２６】
また、本発明では、調湿室（65,66）を区画すると共に複数のダンパ（D1〜D8）を有する仕切板（44,45）を調湿室（65,66）の側面側に形成している。これにより、調湿室（65,66）で結露した水分が、ダンパ（D1〜D8）を通して調湿室（65,66）の外側に漏れてしまうのを防止できる。また、仮に調湿室（65,66）の下側に上記仕切板（44,45）を設けると、吸着熱交換器（14,15）の下側で結露水を受けるためのドレンパンと、仕切板（44,45）のダンパ（D1〜D8）とが互いに干渉してしまう虞がある。これに対し、仕切板（44,45）を調湿室（65,66）の側面側に設けることで、吸着熱交換器（14,15）の下側に上記ドレンパンの設置スペースを充分確保できる。
【００２７】
また、第２の発明では、給気ファン（30）や排気ファン（29）が室外吸込口（31）や室内吸込口（32）から比較的近い位置となるように、これらのファン（29,30）を調湿室（65,66）の上側に配設している。従って、給気ファン（30）や排気ファン（29）の通風抵抗、ひいてはファン動力を低減することができる。
【００２８】
また、第３の発明では、冷媒回路（11）の圧縮機（12）を調湿室（65,66）の下側に配設したので、調湿装置の重心が低くなる。従って、この調湿装置を比較的安定した状態で床面に設置することができる。また、圧縮機（12）が比較的高い位置にある場合と比較して、圧縮機（12）の出し入れやメンテナンスも容易となる。
【００２９】
第４の発明では、ケーシング本体部（21）から前面カバー（22）を取り外した状態で、吸着熱交換器（14,15）や給気ファン（30）や排気ファン（29）や圧縮機（12）やフィルタ（36,37）をケーシング（20）の前側から取り出してメンテナンスを行うことができる。特に、調湿装置をクローゼット等の内部に収納すると、装置の後方や側方に充分なメンテナンススペースを確保するのが困難となる。しかしながら、本発明では、全ての構成機器を前側から取り外して容易にメンテナンスを行うことができる。
【００３０】
第５の発明では、室内吸込口（32）及び室外吸込口（31）をケーシング（20）の前側に配設し、これらの吸込口（31,32）の下側に第１フィルタ（36）及び第２フィルタ（37）を設けている。このため、ケーシング本体部（21）から前面カバー（22）を取り外した状態で、第１フィルタ（36）や第２フィルタ（37）を容易に前方へ引き出すことができ、ユーザー等によるフィルタの清掃や交換の簡便化を図ることができる。
【発明を実施するための最良の形態】
【００３１】
以下、本発明の実施形態を図面に基づいて詳細に説明する。
【００３２】
《発明の実施形態１》
本発明の実施形態１に係る調湿装置（10）は、室内の床面に設置されて室内の湿度調節を行う床置き型の調湿装置である。図１に示すように、調湿装置（10）は、衣服等が収納されるクローゼットの収納空間（S）に設置可能に構成されている。
【００３３】
図１〜図３に示すように、調湿装置（10）は、縦長の直方体状に形成されたケーシング（20）を備えている。なお、図３の斜視図（その他の斜視図も含む）では、便宜上、ケーシング（20）の上部と残りの部位とを分解して図示している。ケーシング（20）は、前面のみが開放された箱状のケーシング本体部（21）と、該ケーシング本体部（21）の前側の開放部に着脱自在に取り付けられる前面カバー（22）とを備えている。
【００３４】
ケーシング本体部（21）には、上端部に天板（23）が、下端部に底板（24）がそれぞれ形成されている。また、ケーシング本体部（21）には、右端部に右側面板（25）が、左端部に左側面板（26）がそれぞれ形成されている。更に、ケーシング本体部（21）には、後端部に背面板（27）が形成されている。
【００３５】
上記天板（23）には、４つのダクト接続口（31,32,33,34）が形成されている。これらのダクト接続口（31,32,33,34）は、天板（23）の４つの角部に対応するように互いに隣り合って配列されている。具体的に、４つのダクト接続口（31,32,33,34）は、天板（23）の前方右側寄りに配設される室外吸込口（31）と、天板（23）の前方左側寄りに配設される室内吸込口（32）と、天板（23）の後方右側寄りに配設される室外排気口（33）と、天板（23）の後方左側寄りに配設される室内給気口（34）とで構成されている。つまり、ケーシング本体部（21）の上面には、室外吸込口（31）と室内吸込口（32）と室外排気口（33）と室内給気口（34）とが集約するように形成されている。
【００３６】
各ダクト接続口（31,32,33,34）には、それぞれ空気が流通可能なダクト（5）が接続される（図１参照）。各ダクト（5）は、室内の天井側に向かって上方に延び、天井裏を伝って所定の空間まで配設されている。これらのダクト（5）を介して、室外吸込口（31）及び室外排気口（33）は室外空間と繋がり、室内吸込口（32）及び室内給気口（34）は室内空間と繋がる。そして、室外吸込口（31）は、室外空気（OA）をケーシング（20）内に導入するための開口を構成し、室内吸込口（32）は、室内空気（RA）をケーシング（20）内に導入するための開口を構成する。また、室外排気口（33）は、ケーシング（20）内の空気を排出空気（EA）として室外へ排出するための開口を構成し、室内給気口（34）は、ケーシング（20）内の空気を供給空気（SA）として室内へ供給するための開口を構成する。
【００３７】
上記前面カバー（22）は、ケーシング本体部（21）の前側開放部を覆うように該ケーシング本体部（21）に取り付け／取り外し可能に構成されている。前面カバー（22）には、ユーザー等が調湿装置（10）の運転を切り換えるための操作スイッチ（図示省略）が設けられている。また、前面カバー（22）の上部には、詳細は後述するフィルタ（36,37）を取り出し可能とするための開口部（22a）と、該開口部（22a）を開閉可能な開閉蓋（22b）とが設けられている。開閉蓋（22b）は、前面カバー（22）本体に対して着脱自在に構成されている。
【００３８】
図２及び図３に示すように、ケーシング本体部（21）に前面カバー（22）が装着される状態では、ケーシング（20）の内部に直方体状の空間が形成される。ケーシング（20）の内部には、下側寄りに下部仕切板（40）が設けられ、上側寄りに上部仕切板（41）が設けられる。下部仕切板（40）及び上部仕切板（41）は、矩形板状に形成され、水平な姿勢でケーシング（20）に支持される。
【００３９】
下部仕切板（40）と底板（24）との間には、扁平な直方体状の機械室（50）が区画されている。機械室（50）には、詳細は後述する冷媒回路（11）に接続される圧縮機（12）や四方切換弁（13）等が収納されている。圧縮機（12）は、縦置き型の圧縮機で構成され、底板（24）に設置されている。圧縮機（12）は、例えばスクロール系やロータリー系の圧縮機等で構成されている。
【００４０】
上部仕切板（41）と天板（23）との間には、扁平な直方体状の空間が区画されている。この空間には、縦仕切板（42）と横仕切板（43）とが設けられている。縦仕切板（42）は、長辺が前後方向に延びる板状に形成され、横仕切板（43）は、長辺が左右方向に延びる板状に形成されている。縦仕切板（42）及び横仕切板（43）は、互いに直交するようにして鉛直な姿勢でケーシング（20）に支持されている。縦仕切板（42）及び横仕切板（43）は、上部仕切板（41）と天板（23）との間の空間を４つの通路（51,52,53,54）に区画している。これらの４つの通路は、外気吸込通路（51）と内気吸込通路（52）と外気排出通路（53）と内気供給通路（54）とで構成される。
【００４１】
外気吸込通路（51）は、ケーシング（20）の前方右側寄りに形成され、内気吸込通路（52）は、ケーシング（20）の前方左側寄りに形成されている。また、外気排出通路（53）は、ケーシング（20）の後方右側寄りに形成され、内気供給通路（54）は、ケーシング（20）の後方左側寄りに形成されている。一方、上述の上部仕切板（41）には、外気吸込通路（51）に臨む部位に第１連通口（61）が、内気吸込通路（52）に臨む部位に第２連通口（62）が、外気排出通路（53）に臨む部位に第３連通口（63）が、内気供給通路（54）に臨む部位に第４連通口（64）がそれぞれ形成されている。
【００４２】
そして、上記室外吸込口（31）は、外気吸込通路（51）を介して第１連通口（61）と連通し、上記室内吸込口（32）は、内気吸込通路（52）を介して第２連通口（62）と連通している。また、上記室外排気口（33）は、外気排出通路（53）を介して第３連通口（63）と連通し、上記室内給気口（34）は、内気供給通路（54）を介して第４連通口（64）と連通している。
【００４３】
外気吸込通路（51）には外気フィルタ（36）が設けられ、内気吸込通路（52）には内気フィルタ（37）が設けられている。つまり、外気フィルタ（36）は室外吸込口（31）の下側に配設される第１フィルタを構成し、内気フィルタ（37）は室内吸込口（32）の下側に配設される第２フィルタを構成している。これらのフィルタ（36,37）は、板状あるいはシート状に形成され、対応する各吸込通路（51,52）の横断面の全域に跨るようにして水平な姿勢で保持されている。また、これらのフィルタ（36,37）は、各吸込通路（51,52）において前後方向に進退自在に構成されている。
【００４４】
外気排出通路（53）には排気ファン（29）が設けられ、内気供給通路（54）には給気ファン（30）が設けられている（図２参照）。これらのファン（29,30）は、遠心型の多翼ファン（いわゆるシロッコファン）で構成されている。なお、図３の斜視図（その他の斜視図も含む）では、これらのファン（29,30）の図示を省略している。排気ファン（29）は、第３連通口（63）から誘引した空気を室外排気口（33）に向かって送風する。給気ファン（30）は、第４連通口（64）から誘引した空気を室内給気口（34）に向かって送風する。
【００４５】
下部仕切板（40）と上部仕切板（41）との間には、直方体状の空間が区画されている。この空間には、第１仕切板（44）と第２仕切板（45）とが設けられている。第１仕切板（44）及び第２仕切板（45）は、下部仕切板（40）から上部仕切板（41）に亘って形成され、ケーシング（20）の左右の側面板（25,26）と平行で、且つ鉛直な姿勢でケーシング（20）に支持されている。そして、第１仕切板（44）及び第２仕切板（45）は、下部仕切板（40）及び上部仕切板（41）の間の空間を３つの空間に仕切っている。
【００４６】
上記３つの空間のうちの右側寄りの空間は、第３仕切板（46）によって前後に２つの空間に区画され、上記３つの空間のうちの左側寄りの空間は、第４仕切板（47）によって前後に２つの空間に区画されている。第３仕切板（46）の前側の空間は第１中間通路（55）を構成し、第４仕切板（47）の前側の空間が第２中間通路（56）を構成している。また、第３仕切板（46）の後側の空間は第３中間通路（57）を構成し、第４仕切板（47）の後側の空間が第４中間通路（58）を構成している。
【００４７】
第１中間通路（55）の上端は上記第１連通口（61）と連通し、第２中間通路（56）の上端は上記第２連通口（62）と連通し、第３中間通路（57）の上端は上記第３連通口（63）と連通し、第４中間通路（58）の上端は上記第４連通口（64）と連通している。また、これらの中間通路（55,56,57,58）の下端は、何れも下部仕切板（40）によって閉塞されている。
【００４８】
上記３つの空間のうちの中央の空間は、中央仕切板（48）によって上下に２つの空間に区画されている。これらの２つの空間のうち上側の空間が第１調湿室（65）を構成し、下側の空間が第２調湿室（66）を構成している。つまり、第１調湿室（65）と第２調湿室（66）とは、中央仕切板（48）を挟んで互いに隣り合うように上下方向に並んで形成されている。
【００４９】
第１調湿室（65）には第１吸着熱交換器（14）が収納され、第２調湿室（66）には第２吸着熱交換器（15）が収納されている。第１吸着熱交換器（14）及び第２吸着熱交換器（15）は、詳細は後述する冷媒回路（11）に直列に接続されている。
【００５０】
図４に示すように、各吸着熱交換器（14,15）は、クロスフィン型のフィン・アンド・チューブ熱交換器によって構成されている。これら吸着熱交換器（14,15）は、銅製の伝熱管（16）とアルミニウム製のフィン（17）とを備えている。吸着熱交換器（14,15）に設けられた複数のフィン（17）は、それぞれが長方形板状に形成され、一定の間隔で並べられている。また、伝熱管（16）は、フィン（17）の配列方向に蛇行する形状となっている。つまり、この伝熱管（16）では、各フィン（17）を貫通する直管部と、隣り合った直管部同士を接続するＵ字管部とが交互に形成されている。
【００５１】
上記各吸着熱交換器（14,15）では、各フィン（17）の表面に吸着剤が担持されており、フィン（17）の間を通過する空気がフィン（17）に担持された吸着剤と接触する。この吸着剤としては、ゼオライト、シリカゲル、活性炭、親水性の官能基を有する有機高分子材料など、空気中の水分に対して所定の吸脱着性能を有するものが用いられる。
【００５２】
実施形態１の各吸着熱交換器（14,15）は、調湿室（65,66）において斜めに配置されている。具体的に、各吸着熱交換器（14,15）は、複数のフィン（17）が第１仕切板（44）及び第２仕切板（45）と平行となり、且つフィン（17）の上端が鉛直方向よりも前側に傾く姿勢となるようにして調湿室（65,66）に保持されている。これにより、各吸着熱交換器（14,15）の各フィン（17）を長手方向に伸ばすことができ、各吸着熱交換器（14,15）における空気の通過面積を稼ぐことができる。その結果、吸着剤と空気との接触効率が増大する。
【００５３】
上記第１仕切板（44）及び第２仕切板（45）には、空気が流入又は流出する流通口が４つずつ形成されている。具体的に、第１仕切板（44）の上部には、その前側寄りに第１流通口（71）が、後側寄りに第２流通口（72）がそれぞれ形成され、第２仕切板（45）の上部には、その前側寄りに第３流通口（73）が、後側寄りに第４流通口（74）がそれぞれ形成されている。また、第１仕切板（44）の下部には、その前側寄りに第５流通口（75）が、後側寄りに第６流通口（76）がそれぞれ形成され、第２仕切板（45）の下部には、その前側寄りに第７流通口（77）が、後側寄りに第８流通口（78）がそれぞれ形成されている。
【００５４】
第１流通口（71）は、第１中間通路（55）と第１調湿室（65）とを連通させ、第２流通口（72）は、第３中間通路（57）と第１調湿室（65）とを連通させ、第３流通口（73）は、第２中間通路（56）と第１調湿室（65）とを連通させ、第４流通口（74）は、第４中間通路（58）と第１調湿室（65）とを連通させている。また、第５流通口（75）は、第１中間通路（55）と第２調湿室（66）とを連通させ、第６流通口（76）は、第３中間通路（57）と第２調湿室（66）とを連通させ、第７流通口（77）は、第２中間通路（56）と第２調湿室（66）とを連通させ、第８流通口（78）は、第４中間通路（58）と第２調湿室（66）とを連通させている。
【００５５】
第１仕切板（44）及び第２仕切板（45）には、対応する流通口を開閉自在とするダンパが４つずつ設けられている。具体的に、第１仕切板（44）には、第１流通口（71）を断続する第１ダンパ（D1）と、第２流通口（72）を断続する第２ダンパ（D2）と、第５流通口（75）を断続する第５ダンパ（D5）と、第６流通口（7）を断続する第６ダンパ（D6）とが設けられている。また、第２仕切板（45）には、第３流通口（73）を断続する第３ダンパ（D3）と、第４流通口（74）を断続する第４ダンパ（D4）と、第７流通口（77）を断続する第７ダンパ（D7）と、第８流通口（78）を断続する第８ダンパ（D8）とが設けられている。
【００５６】
各ダンパ（D1〜D8）は、例えば２枚のシャッタと、水平軸を支点として各シャッタを回動させるモータとを有している。即ち、各ダンパ（D1〜D8）では、モータの回転により２枚のシャッタが鉛直な姿勢に変位すると、対応する流通口（71〜78）が閉鎖状態となり、モータの回転により２枚のシャッタが水平な姿勢に変位すると、対応する流通口（71〜78）が開放状態となる。
【００５７】
以上のような構成の第１仕切板（44）及び第２仕切板（45）は、２つの調湿室（65,66）の左右方向の両側面側に形成されている。また、第１仕切板（44）と第２仕切板（45）とは、２つの調湿室（65,66）に跨るように形成されて、鉛直な姿勢でケーシング（20）に支持されている。更に、第１仕切板（44）及び第２仕切板（45）は、前後方向に進退自在に構成されている。具体的に、上部仕切板（41）の下面と下部仕切板（40）の上面とには、第１仕切板（44）及び第２仕切板（45）の上端と下端とが嵌合するレール溝（図示省略）が前後方向に延びて形成されている。第１仕切板（44）及び第２仕切板（45）は、これらのレール溝に沿うようにして前後にスライド自在となっている。
【００５８】
〈冷媒回路の構成〉
調湿装置（10）に搭載される上記冷媒回路（11）について図５を参照しながら説明する。
【００５９】
冷媒回路（11）は、第１吸着熱交換器（14）、第２吸着熱交換器（15）、圧縮機（12）、四方切換弁（13）、及び電動膨張弁（18）が設けられた閉回路である。冷媒回路（11）は、充填された冷媒を循環させることによって、蒸気圧縮式の冷凍サイクルを行う。
【００６０】
冷媒回路（11）では、圧縮機（12）の吐出側が四方切換弁（13）の第１のポートと接続され、圧縮機（12）の吸入側が四方切換弁（13）の第２のポートと接続されている。また、冷媒回路（11）では、第１吸着熱交換器（14）の一端が四方切換弁（13）の第３ポートと接続され、第１吸着熱交換器（14）の他端が電動膨張弁（18）及び第２吸着熱交換器（15）を介して四方切換弁（13）の第４ポートと接続されている。
【００６１】
上記四方切換弁（13）は、第１のポートと第４のポートとが連通して第２のポートと第３のポートとが連通する第１状態（図５(Ａ)に示す状態）と、第１のポートと第３のポートとが連通して第２のポートと第４のポートとが連通する第２状態（図５(Ｂ)に状態）とに切り換え可能となっている。
【００６２】
本実施形態の調湿装置（10）では、冷媒回路（11）が熱媒体回路を構成する。この冷媒回路（11）では、２つの吸着熱交換器（14,15）のうち凝縮器（放熱器）として動作する方に高圧のガス冷媒が加熱用の熱媒流体として供給され、蒸発器として動作する方に低圧の気液二相冷媒が冷却用の熱媒流体として供給される。
【００６３】
−運転動作−
実施形態１の調湿装置（10）は、「除湿換気運転」と「加湿換気運転」と「除湿循環運転」と「加湿循環運転」とを選択的に行う。「除湿換気運転」や「加湿換気運転」では、取り込んだ室外空気（OA）を湿度調湿してから供給空気（SA）として室内へ供給すると同時に、取り込んだ室内空気（RA）を排出空気（EA）として室外へ排出する。また、「除湿循環運転」や「加湿循環運転」では、取り込んだ室内空気（RA）を湿度調節してから供給空気（SA）として室内へ供給すると同時に、取り込んだ室外空気（OA）を排出空気（EA）として室外へ排出する。以下には、これらの各運転について詳細に説明する。
【００６４】
〈除湿換気運転〉
除湿換気運転中の調湿装置（10）では、後述する第１動作と第２動作が所定の時間間隔（例えば３分間隔）で交互に繰り返される。
【００６５】
除湿換気運転中の調湿装置（10）において、給気ファン（30）を運転すると、室外空気が室外吸込口（31）からケーシング（20）内へ第１空気として取り込まれる。また、排気ファン（29）を運転すると、室内空気が室内吸込口（32）からケーシング（20）内へ第２空気として取り込まれる。
【００６６】
先ず、除湿換気運転の第１動作について説明する。図６に示すように、この第１動作中には、第１ダンパ（D1〜D8）の状態が切り換わることで、第１流通口（71）、第４流通口（74）、第６流通口（76）、及び第７流通口（77）が開状態となり、第２流通口（72）、第３流通口（73）、第５流通口（75）、及び第８流通口（78）が閉状態となる。
【００６７】
第１動作中の冷媒回路（11）では、図５(Ａ)に示すように、四方切換弁（13）が第１状態に設定される。この状態の冷媒回路（11）では、冷媒が循環して冷凍サイクルが行われる。この際、冷媒回路（11）では、圧縮機（12）から吐出された冷媒が第２吸着熱交換器（15）、電動膨張弁（18）、第１吸着熱交換器（14）の順に通過し、第２吸着熱交換器（15）が凝縮器となって第１吸着熱交換器（14）が蒸発器となる。
【００６８】
図６に示すように、上記室外吸込口（31）から外気吸込通路（51）へ流入した第１空気は、外気フィルタ（36）を通過する。外気フィルタ（36）では、第１空気中に含まれる塵埃が捕捉される。外気フィルタ（36）を通過した第１空気は、第１連通口（61）及び第１中間通路（55）を順に流れ、第１流通口（71）より第１調湿室（65）へ流入する。この第１空気は、後方へ流れて第１吸着熱交換器（14）を通過する。第１吸着熱交換器（14）では、第１空気中の水分が吸着剤に吸着され、その際に生じた吸着熱が冷媒に吸熱される。第１吸着熱交換器（14）で除湿された第１空気は、第４流通口（74）から第４中間通路（58）へ流出する。この第１空気は、第４連通口（64）及び内気供給通路（54）を順に流れ、室内給気口（34）よりダクトへ流出して室内へ供給される。
【００６９】
一方、上記室内吸込口（32）から内気吸込通路（52）へ流入した第２空気は、内気フィルタ（37）を通過する。内気フィルタ（37）では、第２空気中に含まれる塵埃が捕捉される。内気フィルタ（37）を通過した第２空気は、第２連通口（62）及び第２中間通路（56）を順に流れ、第７流通口（77）より第２調湿室（66）へ流入する。この第２空気は、後方へ流れて第２吸着熱交換器（15）を通過する。第２吸着熱交換器（15）では、冷媒で加熱された吸着剤から水分が脱離し、この脱離した水分が第２空気へ付与される。第２吸着熱交換器（15）の吸着剤の再生に利用された第２空気は、第６流通口（76）から第３中間通路（57）へ流出する。この第２空気は、第３連通口（63）及び外気排出通路（53）を順に流れ、室外排気口（33）よりダクトへ流出して室外へ排出される。
【００７０】
次に、除湿換気運転の第２動作について説明する。図７に示すように、この第２動作中には、第１ダンパ（D1〜D8）の状態が切り換わることで、第２流通口（72）、第３流通口（73）、第５流通口（75）、及び第８流通口（78）が開状態となり、第１流通口（71）、第４流通口（74）、第６流通口（76）、及び第７流通口（77）が閉状態となる。
【００７１】
第２動作中の冷媒回路（11）では、図５(Ｂ)に示すように、四方切換弁（13）が第２状態に設定される。この状態の冷媒回路（11）では、冷媒が循環して冷凍サイクルが行われる。この際、冷媒回路（11）では、圧縮機（12）から吐出された冷媒が第１吸着熱交換器（14）、電動膨張弁（18）、第２吸着熱交換器（15）の順に通過し、第１吸着熱交換器（14）が凝縮器となって第２吸着熱交換器（15）が蒸発器となる。
【００７２】
図７に示すように、上記室外吸込口（31）から外気吸込通路（51）へ流入した第１空気は、外気フィルタ（36）を通過する。外気フィルタ（36）では、第１空気中に含まれる塵埃が捕捉される。外気フィルタ（36）を通過した第１空気は、第１連通口（61）及び第１中間通路（55）を順に流れ、第５流通口（75）より第２調湿室（66）へ流入する。この第１空気は、後方へ流れて第２吸着熱交換器（15）を通過する。第２吸着熱交換器（15）では、第１空気中の水分が吸着剤に吸着され、その際に生じた吸着熱が冷媒に吸熱される。第２吸着熱交換器（15）で除湿された第１空気は、第８流通口（78）から第４中間通路（58）へ流出する。この第１空気は、第４連通口（64）及び内気供給通路（54）を順に流れ、室内給気口（34）よりダクトへ流出して室内へ供給される。
【００７３】
一方、室内吸込口（32）から内気吸込通路（52）へ流入した第２空気は、内気フィルタ（37）を通過する。内気フィルタ（37）では、第２空気中に含まれる塵埃が捕捉される。内気フィルタ（37）を通過した第２空気は、第２連通口（62）及び第２中間通路（56）を順に流れ、第３流通口（73）より第１調湿室（65）へ流入する。この第２空気は、後方へ流れて第１吸着熱交換器（14）を通過する。第１吸着熱交換器（14）では、冷媒で加熱された吸着剤から水分が脱離し、この脱離した水分が第２空気へ付与される。第１吸着熱交換器（14）の吸着剤の再生に利用された第２空気は、第２流通口（72）から第３中間通路（57）へ流出する。この第２空気は、第３連通口（63）及び外気排出通路（53）を順に流れ、室外排気口（33）よりダクトへ流出して室外へ排出される。
【００７４】
〈加湿換気運転〉
加湿換気運転中の調湿装置（10）では、後述する第１動作と第２動作が所定の時間間隔（例えば３分間隔）で交互に繰り返される。
【００７５】
加湿換気運転中の調湿装置（10）において、給気ファン（30）を運転すると、室外空気が室外吸込口（31）からケーシング（20）内へ第１空気として取り込まれる。また、排気ファン（29）を運転すると、室内空気が室内吸込口（32）からケーシング（20）内へ第２空気として取り込まれる。
【００７６】
加湿換気運転の第１動作中には、図６に示すように、第１流通口（71）、第４流通口（74）、第６流通口（76）、及び第７流通口（77）が開状態となり、第２流通口（72）、第３流通口（73）、第５流通口（75）、及び第８流通口（78）が閉状態となる。また、冷媒回路（11）は、図５(Ｂ)に示す状態となり、第１吸着熱交換器（14）が凝縮器となって第２吸着熱交換器（15）が蒸発器となる。
【００７７】
図６に示すように、室外吸込口（31）から外気吸込通路（51）へ流入した第１空気は、外気フィルタ（36）、第１連通口（61）、第１中間通路（55）、及び第１流通口（71）を順に流れて第１調湿室（65）へ流入し、第１吸着熱交換器（14）を通過する。第１吸着熱交換器（14）では、冷媒で加熱された吸着剤から水分が脱離し、この脱離した水分が第１空気に付与される。第１吸着熱交換器（14）で加湿された第１空気は、第４流通口（74）、第４中間通路（58）、第４連通口（64）、及び内気供給通路（54）を順に流れ、室内給気口（34）よりダクトへ流出して室内へ供給される。
【００７８】
一方、室内吸込口（32）から内気吸込通路（52）へ流入した第２空気は、内気フィルタ（37）、第２連通口（62）、第２中間通路（56）、及び第７流通口（77）を順に流れて第２調湿室（66）へ流入し、第２吸着熱交換器（15）を通過する。第２吸着熱交換器（15）では、第２空気中の水分が吸着剤に吸着され、その際に生じた吸着熱が冷媒に吸熱される。第２吸着熱交換器（15）の吸着剤へ水分を付与した第２空気は、第６流通口（76）、第３中間通路（57）、第３連通口（63）、及び外気排出通路（53）を順に流れ、室外排気口（33）よりダクトへ流出して室外へ排出される。
【００７９】
加湿換気運転の第２動作中には、図７に示すように、第２流通口（72）、第３流通口（73）、第５流通口（75）、及び第８流通口（78）が開状態となり、第１流通口（71）、第４流通口（74）、第６流通口（76）、及び第７流通口（77）が閉状態となる。また、冷媒回路（11）は、図５(Ａ)に示す状態となり、第２吸着熱交換器（15）が凝縮器となって第１吸着熱交換器（14）が蒸発器となる。
【００８０】
図７に示すように、室外吸込口（31）から外気吸込通路（51）へ流入した第１空気は、外気フィルタ（36）、第１連通口（61）、第１中間通路（55）、及び第５流通口（75）を順に流れて第２調湿室（66）へ流入し、第２吸着熱交換器（15）を通過する。第２吸着熱交換器（15）では、冷媒で加熱された吸着剤から水分が脱離し、この脱離した水分が第１空気に付与される。第２吸着熱交換器（15）で加湿された第１空気は、第８流通口（78）、第４中間通路（58）、第４連通口（64）、及び内気供給通路（54）を順に流れ、室内給気口（34）よりダクトへ流出して室内へ供給される。
【００８１】
一方、室内吸込口（32）から内気吸込通路（52）へ流入した第２空気は、内気フィルタ（37）、第２連通口（62）、第２中間通路（56）、及び第３流通口（73）を順に流れて第１調湿室（65）へ流入し、第１吸着熱交換器（14）を通過する。第１吸着熱交換器（14）では、第２空気中の水分が吸着剤に吸着され、その際に生じた吸着熱が冷媒に吸熱される。第１吸着熱交換器（14）の吸着剤へ水分を付与した第２空気は、第２流通口（72）、第３中間通路（57）、第３連通口（63）、及び外気排出通路（53）を順に流れ、室外排気口（33）よりダクトへ流出して室外へ排出される。
【００８２】
〈除湿循環運転〉
除湿循環運転中の調湿装置（10）では、後述する第１動作と第２動作が所定の時間間隔（例えば３分間隔）で交互に繰り返される。
【００８３】
除湿循環運転中の調湿装置（10）において、給気ファン（30）を運転すると、室内空気が室内吸込口（32）からケーシング（20）内へ第１空気として取り込まれる。また、排気ファン（29）を運転すると、室外空気が室外吸込口（31）からケーシング（20）内へ第２空気として取り込まれる。
【００８４】
除湿循環運転の第１動作中には、図８に示すように、第３流通口（73）、第４流通口（74）、第５流通口（75）、及び第６流通口（76）が開状態となり、第１流通口（71）、第２流通口（72）、第７流通口（77）、及び第８流通口（78）が閉状態となる。また、冷媒回路（11）は、図５(Ａ)に示す状態となり、第２吸着熱交換器（15）が凝縮器となって第１吸着熱交換器（14）が蒸発器となる。
【００８５】
図８に示すように、室内吸込口（32）から内気吸込通路（52）へ流入した第１空気は、内気フィルタ（37）、第２連通口（62）、第２中間通路（56）、及び第３流通口（73）を順に流れて第１調湿室（65）へ流入し、第１吸着熱交換器（14）を通過する。第１吸着熱交換器（14）では、第１空気中の水分が吸着剤に吸着され、その際に生じた吸着熱が冷媒に吸熱される。第１吸着熱交換器（14）で除湿された第１空気は、第４流通口（74）、第４中間通路（58）、第４連通口（64）、及び内気供給通路（54）を順に流れ、室内給気口（34）よりダクトへ流出して室内へ供給される。
【００８６】
一方、室外吸込口（31）から外気吸込通路（51）へ流入した第２空気は、外気フィルタ（36）、第１連通口（61）、第１中間通路（55）、及び第５流通口（75）を順に流れて第２調湿室（66）へ流入し、第２吸着熱交換器（15）を通過する。第２吸着熱交換器（15）では、冷媒で加熱された吸着剤から水分が脱離し、この脱離した水分が第２空気に付与される。第２吸着熱交換器（15）の吸着剤の再生に利用された第２空気は、第６流通口（76）、第３中間通路（57）、第３連通口（63）、及び外気排出通路（53）を順に流れ、室外排気口（33）よりダクトへ流出して室外へ排出される。
【００８７】
除湿循環運転の第２動作中には、図９に示すように、第１流通口（71）、第２流通口（72）、第７流通口（77）、及び第８流通口（78）が開状態となり、第３流通口（73）、第４流通口（74）、第５流通口（75）、及び第６流通口（76）が閉状態となる。また、冷媒回路（11）は、図５(Ｂ)に示す状態となり、第１吸着熱交換器（14）が凝縮器となって第２吸着熱交換器（15）が蒸発器となる。
【００８８】
図９に示すように、室内吸込口（32）から内気吸込通路（52）へ流入した第１空気は、内気フィルタ（37）、第２連通口（62）、第２中間通路（56）、及び第７流通口（77）を順に流れて第２調湿室（66）へ流入し、第２吸着熱交換器（15）を通過する。第２吸着熱交換器（15）では、第１空気中の水分が吸着剤に吸着され、その際に生じた吸着熱が冷媒に吸熱される。第２吸着熱交換器（15）で除湿された第１空気は、第８流通口（78）、第４中間通路（58）、第４連通口（64）、及び内気供給通路（54）を順に流れ、室内給気口（34）よりダクトへ流出して室内へ供給される。
【００８９】
一方、室外吸込口（31）から外気吸込通路（51）へ流入した第２空気は、外気フィルタ（36）、第１連通口（61）、第１中間通路（55）、及び第１流通口（71）を順に流れて第１調湿室（65）へ流入し、第１吸着熱交換器（14）を通過する。第１吸着熱交換器（14）では、冷媒で加熱された吸着剤から水分が脱離し、この脱離した水分が第２空気に付与される。第１吸着熱交換器（14）の吸着剤の再生に利用された第２空気は、第２流通口（72）、第３中間通路（57）、第３連通口（63）、及び外気排出通路（53）を順に流れ、室外排気口（33）よりダクトへ流出して室外へ排出される。
【００９０】
〈加湿循環運転〉
加湿循環運転中の調湿装置（10）では、後述する第１動作と第２動作が所定の時間間隔（例えば３分間隔）で交互に繰り返される。
【００９１】
加湿循環運転中の調湿装置（10）において、給気ファン（30）を運転すると、室内空気が室内吸込口（32）からケーシング（20）内へ第１空気として取り込まれる。また、排気ファン（29）を運転すると、室外空気が室外吸込口（31）からケーシング（20）内へ第２空気として取り込まれる。
【００９２】
加湿循環運転の第１動作中には、図８に示すように、第３流通口（73）、第４流通口（74）、第５流通口（75）、及び第６流通口（76）が開状態となり、第１流通口（71）、第２流通口（72）、第７流通口（77）、及び第８流通口（78）が閉状態となる。また、冷媒回路（11）は、図５(Ｂ)に示す状態となり、第１吸着熱交換器（14）が凝縮器となって第２吸着熱交換器（15）が蒸発器となる。
【００９３】
図８に示すように、室内吸込口（32）から内気吸込通路（52）へ流入した第１空気は、内気フィルタ（37）、第２連通口（62）、第２中間通路（56）、及び第３流通口（73）を順に流れて第１調湿室（65）へ流入し、第１吸着熱交換器（14）を通過する。第１吸着熱交換器（14）では、冷媒で加熱された吸着剤から水分が脱離し、この脱離した水分が第１空気に付与される。第１吸着熱交換器（14）で加湿された第１空気は、第４流通口（74）、第４中間通路（58）、第４連通口（64）、及び内気供給通路（54）を順に流れ、室内給気口（34）よりダクトへ流出して室内へ供給される。
【００９４】
一方、室外吸込口（31）から外気吸込通路（51）へ流入した第２空気は、外気フィルタ（36）、第１連通口（61）、第１中間通路（55）、及び第５流通口（75）を順に流れて第２調湿室（66）へ流入し、第２吸着熱交換器（15）を通過する。第２吸着熱交換器（15）では、第２空気中の水分が吸着剤に吸着され、その際に生じた吸着熱が冷媒に吸熱される。第２吸着熱交換器（15）の吸着剤へ水分を付与した第２空気は、第６流通口（76）、第３中間通路（57）、第３連通口（63）、及び外気排出通路（53）を順に流れ、室外排気口（33）よりダクトへ流出して室外へ排出される。
【００９５】
加湿循環運転の第２動作中には、図９に示すように、第１流通口（71）、第２流通口（72）、第７流通口（77）、及び第８流通口（78）が開状態となり、第３流通口（73）、第４流通口（74）、第５流通口（75）、及び第６流通口（76）が閉状態となる。また、冷媒回路（11）は、図５(Ａ)に示す状態となり、第２吸着熱交換器（15）が凝縮器となって第１吸着熱交換器（14）が蒸発器となる。
【００９６】
図９に示すように、室内吸込口（32）から内気吸込通路（52）へ流入した第１空気は、内気フィルタ（37）、第２連通口（62）、第２中間通路（56）、及び第７流通口（77）を順に流れて第２調湿室（66）へ流入し、第２吸着熱交換器（15）を通過する。第２吸着熱交換器（15）では、冷媒で加熱された吸着剤から水分が脱離し、この脱離した水分が第１空気に付与される。第２吸着熱交換器（15）で加湿された第１空気は、第８流通口（78）、第４中間通路（58）、第４連通口（64）、及び内気供給通路（54）を順に流れ、室内給気口（34）よりダクトへ流出して室内へ供給される。
【００９７】
一方、室外吸込口（31）から外気吸込通路（51）へ流入した第２空気は、外気フィルタ（36）、第１連通口（61）、第１中間通路（55）、及び第１流通口（71）を順に流れて第１調湿室（65）へ流入し、第１吸着熱交換器（14）を通過する。第１吸着熱交換器（14）では、第２空気中の水分が吸着剤に吸着され、その際に生じた吸着熱が冷媒に吸熱される。第１吸着熱交換器（14）の吸着剤へ水分を付与した第２空気は、第２流通口（72）、第３中間通路（57）、第３連通口（63）、及び外気排出通路（53）を順に流れ、室外排気口（33）よりダクトへ流出して室外へ排出される。
【００９８】
−調湿装置のメンテナンスについて−
上述のように、調湿装置（10）は、クローゼットの内部空間（S）に収納されて床面に設置されている。従って、図１に示す状態では、調湿装置（10）の前方のみにしかメンテナンススペースを確保できない。そこで、この調湿装置（10）では、ケーシング（20）の前面カバー（22）を取り外すことで、各構成機器のメンテナンスが調湿装置（10）の前側から可能となっている。
【００９９】
具体的に、まず、上記外気フィルタ（36）及び内気フィルタ（37）の交換や清掃を行う際には、前面カバー（22）の開閉蓋（22b）を取り外し、開口部（22a）を開放させる。これにより、外気フィルタ（36）及び内気フィルタ（37）は、開口部（22a）を通じてケーシング（20）の外部に露出された状態となる。この状態において、ユーザー等は外気フィルタ（36）や内気フィルタ（37）を前方にスライドさせることで、これらのフィルタ（36,37）を容易に引き出して取り外すことができる。その後、清掃あるいは交換したフィルタ（36,37）を開口部（22a）からケーシング（20）の内部に挿入することで、各フィルタ（36,37）が元の位置に戻される。なお、実施形態１では、外気フィルタ（36）と内気フィルタ（37）とが別体に構成されているが、これらのフィルタ（36,37）を一体的なフィルタユニットとして、外気吸込通路（51）及び内気吸込通路（52）に跨るように設けても良い。この場合、フィルタユニットを一体的に取り出してメンテナンスを行うことができる。
【０１００】
また、ケーシング（20）内の他の構成機器のメンテナンスを行う場合には、ケーシング本体部（21）から前面カバー（22）を取り外す。その結果、各仕切板（40〜48）、圧縮機（12）、吸着熱交換器（14,15）等がケーシング（20）の外部へ露出された状態となる。従って、ユーザー等は、圧縮機（12）や吸着熱交換器（14,15）をケーシング（20）の前側から外部へ取り出してメンテナンスを行うことができる。また、上記複数のダンパ（D1〜D8）のメンテナンスを行う場合には、図３に示す第１仕切板（44）や第２仕切板（45）を前方にスライドさせてケーシング（20）の前側から取り出す。これにより、第１仕切板（44）や第２仕切板（45）の各ダンパ（D1〜D8）のメンテナンスを容易に行うことができる。なお、第１仕切板（44）や第２仕切板（45）を中央仕切板（48）の上側及び下側の部位で分割可能な構成としても良い。この場合、例えば第１仕切板（44）の上側の部位のみを取り出して第１ダンパ（D1）及び第２ダンパ（D2）のメンテナンスを行う、あるいは第２仕切板（45）の下側の部位のみを取り出して第７ダンパ（D7）や第８ダンパ（D8）のメンテナンスを行う、というように任意のダンパのメンテナンスを容易に行うことができる。
【０１０１】
更に、前面カバー（22）を取り外した状態で、ケーシング（20）の上部の縦仕切板（42）及び横仕切板（43）を前側に引き出すことで、給気ファン（30）や排気ファン（29）をケーシング（20）の外部へ露出させることができる。ユーザー等は、このような状態で、各ファン（30,29）を前側に取り出してメンテナンスを行うこともできる。
【０１０２】
−実施形態１の効果−
上記実施形態１では、室外吸込口（31）と室外排気口（33）と室内吸込口（32）と室内給気口（34）とをケーシング（20）の天板（23）に集約して形成している。これにより、例えば図１に示すように、調湿装置（10）をクローゼットの収納空間（S）の床面に設置し、各ダクト接続口（31,32,33,34）に接続されるダクト（5）を上方（天井側）に伸ばすことができる。つまり、実施形態１の調湿装置（10）では、その水平方向周りにダクトが配設されることがないので、調湿装置（10）の水平方向の設置スペースを大幅に縮小することができる。また、調湿装置（10）を床面に設置することで、例えば天井埋込型の調湿装置と比較して、ユーザーによる装置のメンテナンスも簡便となる。
【０１０３】
また、上記実施形態１では、第１調湿室（65）と第２調湿室（66）とを上下に配列しているので、ケーシング（20）が水平方向に大型化されてしまうのを抑制できる。従って、この調湿装置（10）の水平方向の設置スペースを更に縮小することができる。また、このような２つの調湿室（65,66）を例えば前後方向に配列すると、後側の調湿室の吸着熱交換器を前側からメンテナンスするのが困難となってしまう。これに対し、実施形態１では、前面カバー（22）を取り外した状態において、双方の吸着熱交換器（14,15）が前側に露出されるので、各吸着熱交換器（14,15）のメンテナンスも容易となる。
【０１０４】
また、図３に示すように、複数のダンパ（D1〜D8）を有する第１仕切板（44）及び第２仕切板（45）を調湿室（65,66）の左右方向の側面側に形成することにより、各仕切板（44,45）を前方へ引き出して、各ダンパ（D1〜D8）のメンテナンスを容易に行うことができる。また、このように第１仕切板（44）及び第２仕切板（45）を調湿室（65,66）の側面側に設けると、調湿室（65,66）で結露した水分が閉鎖状態の各流通口（71〜78）の隙間から外部へ漏れてしまうことも防止できる。
【０１０５】
更に、給気ファン（30）や排気ファン（29）を調湿室（65,66）の上側に配置し、室外吸込口（31）や室内吸込口（32）の近傍に位置させたので、給気ファン（30）や排気ファン（29）の通風抵抗、ひいてはファン動力を低減することができる。また、圧縮機（12）を調湿室（65,66）の下側に配設したので、調湿装置（10）の重心が低くなり、調湿装置（10）を安定させた状態で床面に設置できる。また、圧縮機（12）が比較的高い位置にある場合と比較して、圧縮機（12）のメンテナンスも容易となる。
【０１０６】
また、ケーシング（20）の前側に前面カバー（22）を着脱自在に取り付けているので、調湿装置（10）をクローゼット内に設置していていも、前面カバー（22）を取り外して各構成機器のメンテナンスを簡便に行うことができる。
【０１０７】
また、室内吸込口（32）及び室外吸込口（31）をケーシング（20）の前側に配設し、これらの吸込口（31,32）の下側に外気フィルタ（36）及び内気フィルタ（37）を設けている。このため、ケーシング本体部（21）から前面カバー（22）を取り外した状態で、外気フィルタ（36）や内気フィルタ（37）を容易に前方へ引き出すことができ、ユーザー等によるフィルタの清掃や交換の簡便化を図ることができる。
【０１０８】
《発明の実施形態２》
実施形態２に係る調湿装置（10）は、上記実施形態１の調湿装置（10）と構成が異なるものである。以下には、上記実施形態１の調湿装置（10）と異なる点について説明する。
【０１０９】
図１０及び図１１に示すように、実施形態２のケーシング（20）では、天板（23）の前方右側寄りに室内給気口（34）が配設され、天板（23）の前方左側寄りに室内吸込口（32）が配設され、天板（23）の後方右側寄りに室外排気口（33）が配設され、天板（23）の後方左側寄りに室外吸込口（31）が配設されている。
【０１１０】
また、天板（23）と上部仕切板（41）との間には、前方右側寄りに内気供給通路（54）が、前方左側寄りに内気吸込通路（52）が、後方右側寄りに外気排出通路（53）が、後方左側寄りに外気吸込通路（51）がそれぞれ形成されている。
【０１１１】
実施形態２では、外気吸込通路（51）と内気吸込通路（52）とに跨るようにフィルタユニット（38）が設けられている。具体的に、フィルタユニット（38）は、外気吸込通路（51）に位置する外気フィルタ部（36）と、内気吸込通路（52）に位置する内気フィルタ部（37）とが一体となるように構成されている。横仕切板（43）には、フィルタユニット（38）が貫通する貫通口（図示省略）が形成されている。また、貫通口の周りには外気吸込通路（51）と内気吸込通路（52）との間での空気の漏れを防止するためのシール部材が設けられている。そして、フィルタユニット（38）は、前面カバー（22）を取り外した状態で、ケーシング（20）の前側から取り出し可能に構成されている。
【０１１２】
また、実施形態２の各調湿室（65,66）では、対応する吸着熱交換器（14,15）が立設されている。具体的に、吸着熱交換器（14,15）は、複数のフィン（17）が前面カバー（22）及び背面板（27）と平行となり、且つフィン（17）が鉛直な姿勢となるようにして調湿室（65,66）に設置されている。
【０１１３】
−運転動作−
実施形態２の調湿装置（10）では、上記実施形態１と同様にして、「除湿換気運転」と「加湿換気運転」と「除湿循環運転」と「加湿循環運転」とが選択的に行われる。
【０１１４】
〈除湿換気運転〉
除湿換気運転の第１動作では、第２吸着熱交換器（15）が凝縮器となって第１吸着熱交換器（14）が蒸発器となり（図５(Ａ)参照）、第２動作では、第１吸着熱交換器（14）が凝縮器となって第２吸着熱交換器（15）が蒸発器となる（図５(Ｂ)参照）。
【０１１５】
図１２に示すように、除湿換気運転の第１動作中には、室外吸込口（31）から導入された室外空気としての第１空気が、フィルタユニット（38）の外気フィルタ部（36）を通過した後、第４流通口（74）から第１調湿室（65）へ流入する。この第１空気は、側方に流れて第１吸着熱交換器（14）を横断して除湿される。除湿後の第１空気は、第１流通口（71）を通って室内給気口（34）から室内へ供給される。また、室内吸込口（32）から導入された室内空気としての第２空気は、フィルタユニット（38）の内気フィルタ部（37）を通過した後、第７流通口（77）から第２調湿室（66）へ流入する。この第２空気は、側方に流れて第２吸着熱交換器（15）を横断して吸着剤の再生に利用される。その後、第２空気は、第６流通口（76）を通って室外排気口（33）から室外へ排出される。
【０１１６】
図１３に示すように、除湿換気運転の第２動作中には、室外吸込口（31）から導入された室外空気としての第１空気が、フィルタユニット（38）の外気フィルタ部（36）を通過した後、第８流通口（78）から第２調湿室（66）へ流入する。この第１空気は、側方に流れて第２吸着熱交換器（15）を横断して除湿される。除湿後の第１空気は、第５流通口（75）を通って室内給気口（34）から室内へ供給される。また、室内吸込口（32）から導入された室内空気としての第２空気は、フィルタユニット（38）の内気フィルタ部（37）を通過した後、第３流通口（73）から第１調湿室（65）へ流入する。この第２空気は、側方に流れて第１吸着熱交換器（14）を横断して吸着剤の再生に利用される。その後、第２空気は、第２流通口（72）を通って室外排気口（33）から室外へ排出される。
【０１１７】
〈加湿換気運転〉
除湿換気運転の第１動作では、第１吸着熱交換器（14）が凝縮器となって第２吸着熱交換器（15）が蒸発器となり（図５(Ｂ)参照）、第２動作では、第２吸着熱交換器（15）が凝縮器となって第１吸着熱交換器（14）が蒸発器となる（図５(Ａ)参照）。
【０１１８】
図１２に示すように、加湿換気運転の第１動作中には、室外吸込口（31）から導入された室外空気としての第１空気が、第４流通口（74）から第１調湿室（65）へ流入し、第１吸着熱交換器（14）で加湿される。加湿後の第１空気は、第１流通口（71）を通って室内給気口（34）から室内へ供給される。また、室内吸込口（32）から導入された室内空気としての第２空気は、第７流通口（77）から第２調湿室（66）へ流入し、第２吸着熱交換器（15）の吸着剤に水分を付与する。その後、第２空気は、第６流通口（76）を通って室外排気口（33）から室外へ排出される。
【０１１９】
図１３に示すように、加湿換気運転の第２動作中には、室外吸込口（31）から導入された室外空気としての第１空気が、第８流通口（78）から第２調湿室（66）へ流入し、第２吸着熱交換器（15）で加湿される。加湿後の第１空気は、第５流通口（75）を通って室内給気口（34）から室内へ供給される。また、室内吸込口（32）から導入された室内空気としての第２空気は、第３流通口（73）から第１調湿室（65）へ流入し、第１吸着熱交換器（14）の吸着剤に水分を付与する。その後、第２空気は、第２流通口（72）を通って室外排気口（33）から室外へ排出される。
【０１２０】
〈除湿循環運転〉
除湿循環運転の第１動作では、第２吸着熱交換器（15）が凝縮器となって第１吸着熱交換器（14）が蒸発器となり（図５(Ａ)参照）、第２動作では、第１吸着熱交換器（14）が凝縮器となって第２吸着熱交換器（15）が蒸発器となる（図５(Ｂ)参照）。
【０１２１】
図１４に示すように、除湿循環運転の第１動作中には、室内吸込口（32）から導入された室内空気としての第１空気が、第３流通口（73）から第１調湿室（65）へ流入し、第１吸着熱交換器（14）で除湿される。除湿後の第１空気は、第１流通口（71）を通って室内給気口（34）から室内へ供給される。また、室外吸込口（31）から導入された室外空気としての第２空気は、第８流通口（78）から第２調湿室（66）へ流入し、第２吸着熱交換器（15）の吸着剤の再生に利用される。その後、第２空気は、第６流通口（76）を通って室外排気口（33）から室外へ排出される。
【０１２２】
図１５に示すように、除湿循環運転の第２動作中には、室内吸込口（32）から導入された室内空気としての第１空気が、第７流通口（77）から第２調湿室（66）へ流入し、第２吸着熱交換器（15）で除湿される。除湿後の第１空気は、第５流通口（75）を通って室内給気口（34）から室内へ供給される。また、室外吸込口（31）から導入された室外空気としての第２空気は、第３流通口（73）から第１調湿室（65）へ流入し、第１吸着熱交換器（14）の吸着剤の再生に利用される。その後、第２空気は、第３流通口（73）を通って室外排気口（33）から室外へ排出される。
【０１２３】
〈加湿循環運転〉
加湿循環運転の第１動作では、第１吸着熱交換器（14）が凝縮器となって第２吸着熱交換器（15）が蒸発器となり（図５(Ｂ)参照）、第２動作では、第２吸着熱交換器（15）が凝縮器となって第１吸着熱交換器（14）が蒸発器となる（図５(Ａ)参照）。
【０１２４】
図１４に示すように、加湿循環運転の第１動作中には、室内吸込口（32）から導入された室内空気としての第１空気が、第３流通口（73）から第１調湿室（65）へ流入し、第１吸着熱交換器（14）で加湿される。加湿後の第１空気は、第１流通口（71）を通って室内給気口（34）から室内へ供給される。また、室外吸込口（31）から導入された室外空気としての第２空気は、第８流通口（78）から第２調湿室（66）へ流入し、第２吸着熱交換器（15）の吸着剤に水分を付与する。その後、第２空気は、第６流通口（76）を通って室外排気口（33）から室外へ排出される。
【０１２５】
図１５に示すように、加湿換気運転の第２動作中には、室内吸込口（32）から導入された室内空気としての第１空気が、第７流通口（77）から第２調湿室（66）へ流入し、第２吸着熱交換器（15）で加湿される。加湿後の第１空気は、第５流通口（75）を通って室内給気口（34）から室内へ供給される。また、室外吸込口（31）から導入された室外空気としての第２空気は、第４流通口（74）から第１調湿室（65）へ流入し、第１吸着熱交換器（14）の吸着剤に水分を付与する。その後、第２空気は、第２流通口（72）を通って室外排気口（33）から室外へ排出される。
【０１２６】
−実施形態２の効果−
上記実施形態２では、上記実施形態１と同様にして、室外吸込口（31）と室内吸込口（32）と室外排気口（33）と室内給気口（34）とをケーシング（20）の天板（23）に形成するようにしたので、各ダクト接続口（31,32,33,34）に接続されるダクトを上方（天井側）に伸ばして、調湿装置（10）をクローゼット等の収納空間（S）に収納することができる。また、上記実施形態１と同様、ケーシング本体部（21）から前面カバー（22）を取り外して、前側から各構成機器のメンテナンスを容易に行うことができる。
【０１２７】
また、上記実施形態２では、室外吸込口（31）と室内吸込口（32）とを前後方向に配列し、各吸込口（31,32）の下側にフィルタユニット（38）を配設している。従って、フィルタユニット（38）を前側から取り出して、外気フィルタ部（36）や内気フィルタ部（37）のメンテナンスを容易に行うことができる。
【０１２８】
《その他の実施形態》
上記実施形態については、以下のような構成としてもよい。
【０１２９】
上記実施形態１や２においては、吸着熱交換器（14,15）の吸着剤を加熱又は冷却する熱媒流体として、冷凍サイクルが行われる冷媒回路（11）の冷媒を用いている。しかしながら、このような熱媒流体として、例えば所定の加熱源によって加熱した温水や、所定の冷却装置を用いて冷却した冷水等を用いても良いし、他の熱媒流体を用いるようにしても良い。
【０１３０】
なお、以上の実施形態は、本質的に好ましい例示であって、本発明、その適用物、あるいはその用途の範囲を制限することを意図するものではない。
【産業上の利用可能性】
【０１３１】
以上説明したように、本発明は、室内を調湿する調湿装置ついて有用である。
【図面の簡単な説明】
【０１３２】
【図１】実施形態１に係る調湿装置をクローゼット内に設置した状態を示す概略構成図である。
【図２】実施形態１に係る調湿装置の概略構成図であり、図２(Ａ)は上面図を、図２(Ｂ)は図２(Ａ)のＸ−Ｘ矢視図を、図２(Ｃ)は図１(Ａ)のＹ−Ｙ矢視図を、図２(Ｄ)は図１(Ａ)のＺ−Ｚ矢視図をそれぞれ示すものである。
【図３】実施形態１に係る調湿装置の内部を示す斜視図である。
【図４】吸着熱交換器の概略構成を示す斜視図である。
【図５】実施形態１及び２に係る調湿装置の冷媒回路の概略構成図である。
【図６】実施形態１に係る調湿装置の除湿換気運転及び加湿換気運転の第１動作中の空気の流れを説明する斜視図である。
【図７】実施形態１に係る調湿装置の除湿換気運転及び加湿換気運転の第２動作中の空気の流れを説明する斜視図である。
【図８】実施形態１に係る調湿装置の除湿循環運転及び加湿循環運転の第１動作中の空気の流れを説明する斜視図である。
【図９】実施形態１に係る調湿装置の除湿循環運転及び加湿循環運転の第２動作中の空気の流れを説明する斜視図である。
【図１０】実施形態２に係る調湿装置の概略構成図であり、図１０(Ａ)は上面図を、図１０(Ｂ)は図１０(Ａ)のＸ−Ｘ矢視図を、図１０(Ｃ)は図１０(Ａ)のＹ−Ｙ矢視図を、図１０(Ｄ)は図１０(Ａ)のＺ−Ｚ矢視図をそれぞれ示すものである。
【図１１】実施形態２に係る調湿装置の内部を示す斜視図である。
【図１２】実施形態２に係る調湿装置の除湿換気運転及び加湿換気運転の第１動作中の空気の流れを説明する斜視図である。
【図１３】実施形態２に係る調湿装置の除湿換気運転及び加湿換気運転の第２動作中の空気の流れを説明する斜視図である。
【図１４】実施形態２に係る調湿装置の除湿循環運転及び加湿循環運転の第１動作中の空気の流れを説明する斜視図である。
【図１５】実施形態２に係る調湿装置の除湿循環運転及び加湿循環運転の第２動作中の空気の流れを説明する斜視図である。
【符号の説明】
【０１３３】
10      調湿装置
11      熱媒体回路（冷媒回路）
12      圧縮機
14      第１吸着熱交換器（吸着熱交換器）
15      第２吸着熱交換器（吸着熱交換器）
20      ケーシング
21      ケーシング本体部
22      前面カバー
29      排気ファン
30      給気ファン
31      室外吸込口
32      室内吸込口
33      室外排気口
34      室内給気口
36      外気フィルタ（第１フィルタ）
37      内気フィルタ（第２フィルタ）
44      第１仕切板（仕切板）
45      第２仕切板（仕切板）
65      第１調湿室（調湿室）
66      第２調湿室（調湿室）
71〜78  流通口
D1〜D8  ダンパ
【図１】
0004325716.tif 000002
【図２】
0004325716.tif 000003
【図３】
0004325716.tif 000004
【図４】
0004325716.tif 000005
【図５】
0004325716.tif 000006
【図６】
0004325716.tif 000007
【図７】
0004325716.tif 000008
【図８】
0004325716.tif 000009
【図９】
0004325716.tif 000010
【図１０】
0004325716.tif 000011
【図１１】
0004325716.tif 000012
【図１２】
0004325716.tif 000013
【図１３】
0004325716.tif 000014
【図１４】
0004325716.tif 000015
【図１５】
0004325716.tif 000016